(57)【要約】【課題】特に安全性を向上させた物干台の掛けフレーム板を提供する。【解決手段】位置決め部材５は、立棒２に固定されると共に、固定座１０及び保持ブロック２０を備える。固定座１０は、立棒２に環装され、保持ブロック２０は、固定座１０に取り付けられると共に、保持部２１及び連接凹部２２を備える。連接凹部２２は、保持ブロック２０の上面に凹設され、保持部２１は、連通する収納溝２１１及び展開溝２１２を備える。連結棒６は、両端を介して保持ブロック２０の連接凹部２２に挿設されるように、２つの位置決め部材５の保持ブロック２０の間に組み立てられる。ハンガーフレーム板７Ａは、内側両端にそれぞれ２本の凸軸７１が延設される。２本の凸軸７１はそれぞれ、収納溝２１１に挿し込まれ、また、移動可能に収納溝２１１または展開溝２１２に係合することによって、ハンガーフレーム板７Ａを収納状態または展開状態に保持することができる。【選択図】図６
2016220941.tif 000002
【特許請求の範囲】
【請求項１】
物干台の２本の立棒の間に取り付けられる掛けフレーム板において、
該掛けフレーム板は、２つの位置決め部材と、連結棒と、ハンガーフレーム板とを有し、
前記２つの位置決め部材は、互いに対応するように、それぞれ２本の立棒に固定されると共に、固定座及び保持ブロックを備え、そのうち固定座は、立棒に環装され、一方、該保持ブロックは、固定座に取り付けられると共に、保持部及び連接凹部を備え、該連接凹部は、保持部の一側に設けられ、保持ブロックの上面に凹設されると共に、保持ブロックの内面まで延びる開口が形成され、該保持部は、収納溝及び展開溝を備え、該収納溝及び展開溝はそれぞれ、保持ブロックの内面まで延びる開口が形成され、該収納溝は、保持部における、連接凹部と反対する側に上下方向に沿って形成されると共に、保持ブロックの上面まで延びるに入り口が形成され、該展開溝は、連接凹部と収納溝との間に位置し、２つの互いに平行する展開保持段及び、収納溝及び２つの展開保持段の上部と連通するように、該２つの展開保持段の間に水平状に形成される転換平行段を備え、
前記連結棒は、その両端がそれぞれ保持ブロックの連接凹部に挿設されるように、２つの位置決め部材の保持ブロックの間に組み立てられ、
前記ハンガーフレーム板は、プレート本体を備え、該プレート本体の内側両端にそれぞれ、２本の凸軸が平行するように延設され、該２本の凸軸はそれぞれ、保持ブロックの入り口を通過して収納溝に挿し込まれ、また、移動可能に収納溝または展開溝に係合することによって、ハンガーフレーム板を収納状態または展開状態に保持することを特徴とする物干台の掛けフレーム板。
【請求項２】
前記保持ブロックは、２つの保持部を有し、
前記連接凹部は、２つの保持部の間に設けられ、該連接凹部の上部にテーパー状の拡口部が形成されることを特徴とする請求項１に記載の物干台の掛けフレーム板。
【請求項３】
前記固定座は、管体及び締め部材を備え、
その内、管体は、上下方向に移動可能に立棒の外周面に環装され、該管体の径方向の一箇所にスリットが形成され、
前記締め部材は、レバー及び偏心凸部を備え、該レバーは、管体の外側に取り付けられ、該偏心凸部は、レバーの内端に設けられ、スリットに位置してピンにより管体に枢設され、該締め部材が偏心凸部を介してスリットを通って立棒の外周面に当接されることを特徴とする請求項１に記載の物干台の掛けフレーム板。
【請求項４】
前記固定座は、管体及び締め部材を備え、
その内、管体は、上下方向に移動可能に立棒の外周面に環装され、該管体の径方向の一箇所にスリットが形成され、
前記締め部材は、レバー及び偏心凸部を備え、該レバーは、管体の外側に取り付けられ、該偏心凸部は、レバーの内端に設けられ、ピンによるスリットに位置して管体に枢設され、該締め部材が偏心凸部を介してスリットを通って立棒の外周面に当接されることを特徴とする請求項２に記載の物干台の掛けフレーム板。
【請求項５】
前記管体の外周面の一箇所に組合せ座が設けられ、
前記保持ブロックの外面にさらに結合部を有し、該結合部は、着脱可能に管体の組合せ座に組み合わされることを特徴とする請求項４に記載の物干台の掛けフレーム板。
【請求項６】
前記２つの展開保持段はそれぞれ、転換平行段から連接凹部に向かって斜め下方に延設され、また、該２つの展開保持段の底部の位置は、同一の水平位置であることを特徴とする請求項１乃至５の何れか１項に記載の物干台の掛けフレーム板。
【請求項７】
前記２つの展開保持段はそれぞれ、転換平行段から連接凹部に向かって斜め下方に延設され、また、一方の展開保持段の底部の位置が他方の展開保持段の底部の位置より高いことを特徴とする請求項１乃至５の何れか１項に記載の物干台の掛けフレーム板。
【請求項８】
前記プレート本体は、２本の側棒及び複数の掛け棒を備え、それらの掛け棒はそれぞれ、２本の側棒の間に取り付けられることを特徴とする請求項１乃至７の何れか１項に記載の物干台の掛けフレーム板。
【請求項９】
前記プレート本体が複数の掛け棒を有することを特徴とする請求項１乃至７の何れか１項に記載の物干台の掛けフレーム板。
【発明の詳細な説明】
【技術分野】
【０００１】
本発明は、特に折り畳んで収納できる物干台に関するものである。
【背景技術】
【０００２】
既存の台湾特許第Ｉ２４６９０４号の折り畳み式物干台は、折り畳んで収納することができるが、上部の１本の横棒しか有しないので、洗濯物などの干し物を掛けるハンガーが足りないという問題があった。
この問題を解決するために、他の折り畳み式物干台が開発され、この折り畳み式物干台は、主にベースに２本の立棒が設置され、その２本の立棒の上端の間に横棒が設置され、その２本の立棒の間に複数の支持部材が設置されるものであり、図８及び図９に示すように、各支持部材は、２つの固定座８１及び２つの掛けフレーム板８２を有する。その２つの固定座８１は、相対するように２つの立棒９０の間に取り付けられ、更に、該各固定座８１の外側に結合溝８１１が形成され、該掛けフレーム板８２の内側端部に結合部８２１が設けられ、該各結合部８２１に長穴８２２が形成されている。組み立てる時、その掛けフレーム板８２の結合部８２１を固定座８１の結合溝８１１と対応させて、ボルトを固定座８１及び結合部８２１の長穴８２２に貫設することによって、掛けフレーム板８２が固定座８１に対して水平方向から上方に枢転することができる。
【先行技術文献】
【特許文献】
【０００３】
【特許文献１】台湾特許第Ｉ２４６９０４号
【発明の概要】
【発明が解決しようとする課題】
【０００４】
しかしながら、既存の折り畳み式物干台は、ボルトにより固定座８１及び掛けフレーム板８２を組み立てることはできるが、部品が多くて組み立てが不便であり、また、各掛けフレーム板８２を上方へ枢転して収納することはできるが、不注意で掛けフレーム板８２が他の物体と衝突すると、掛けフレーム板８２が収納位置から脱落して下方へ枢転してしまうことから、安全性に問題がある。
【課題を解決するための手段】
【０００５】
本発明の物干台の掛けフレーム板は、物干台の２本の立棒の間に取り付けられ、２つの位置決め部材と、連結棒と、ハンガーフレーム板とを有し、
前記２つの位置決め部材は、互いに対応するように、それぞれ２本の立棒に固定されると共に、固定座及び保持ブロックを備え、そのうち固定座は、立棒に環装され、一方、該保持ブロックは、固定座に取り付けられると共に、保持部及び連接凹部を備え、該連接凹部は、保持部の一側に設けられ、保持ブロックの上面に凹設されると共に、保持ブロックの内面まで延びる開口が形成され、該保持部は、収納溝及び展開溝を備え、該収納溝及び展開溝はそれぞれ、保持ブロックの内面まで延びる開口が形成され、該収納溝は、保持部における、連接凹部と反対する側に上下方向に沿って形成されると共に、保持ブロックの上面まで延びるに入り口が形成され、該展開溝は、連接凹部と収納溝との間に位置し、２つの互いに平行する展開保持段及び、収納溝及び２つの展開保持段の上部と連通するように、該２つの展開保持段の間に水平状に形成される転換平行段を備え、
前記連結棒は、その両端がそれぞれ保持ブロックの連接凹部に挿設されるように、２つの位置決め部材の保持ブロックの間に組み立てられ、
前記ハンガーフレーム板は、プレート本体を備え、該プレート本体の内側両端にそれぞれ、２本の凸軸が平行するように延設され、該２本の凸軸はそれぞれ、保持ブロックの入り口を通過して収納溝に挿し込まれ、また、移動可能に収納溝または展開溝に係合することによって、ハンガーフレーム板を収納状態または展開状態に保持することができる。
【０００６】
かかる物干台の掛けフレーム板において、
前記保持ブロックは、２つの保持部を有し、
前記連接凹部は、２つの保持部の間に設けられ、該連接凹部の上部にテーパー状の拡口部が形成されることが好ましい。
【０００７】
かかる物干台の掛けフレーム板において、
前記固定座は、管体及び締め部材を備え、
その内、管体は、上下方向に移動可能に立棒の外周面に環装され、該管体の径方向の一箇所にスリットが形成され、
前記締め部材は、レバー及び偏心凸部を備え、該レバーは、管体の外側に取り付けられ、該偏心凸部は、レバーの内端に設けられ、ピンによるスリットに位置して管体に枢設され、該締め部材が偏心凸部を介してスリットを通って立棒の外周面に当接されることが好ましい。
【０００８】
かかる物干台の掛けフレーム板において、
前記管体の外周面の一箇所に組合せ座が設けられ、
前記保持ブロックの外面にさらに結合部を有し、該結合部は、着脱可能に管体の組合せ座に組み合わされることが好ましい。
【０００９】
かかる物干台の掛けフレーム板において、
前記２つの展開保持段はそれぞれ、転換平行段から連接凹部に向かって斜め下方に延設され、また、該２つの展開保持段の底部の位置は、同一の水平位置であることが好ましい。
【００１０】
かかる物干台の掛けフレーム板において、
前記２つの展開保持段はそれぞれ、転換平行段から連接凹部に向かって斜め下方に延設され、また、一方の展開保持段の底部の位置が他方の展開保持段の底部の位置より高いことが好ましい。
【００１１】
かかる物干台の掛けフレーム板において、
前記プレート本体は、２本の側棒及び複数の掛け棒を備え、それらの掛け棒はそれぞれ、２本の側棒の間に取り付けられることが好ましい。
【００１２】
かかる物干台の掛けフレーム板において、
前記プレート本体が複数の掛け棒を有することが好ましい。
【００１３】
本発明に係る物干台の掛けフレーム板は、位置決め部材の保持ブロックに収納溝及び展開溝が形成されると共に、保持ブロックに収納溝及び展開溝と連通する入り口が形成されることから、組み立てるための道具が不要であり、そのプレート本体の凸軸が保持ブロックの入り口を通過して収納溝に挿し込まれればよい。
【００１４】
また、そのプレート本体の凸軸が移動可能に収納溝または展開溝に係合することができるので、ハンガーフレーム板の凸軸を収納溝から離して展開溝に嵌め込み、ハンガーフレーム板を水平に位置させながら展開状態に保持すれば、洗濯物などをハンガーフレーム板に掛けて乾かすことができる。一方、ハンガーフレーム板の凸軸を展開溝から離して収納溝に嵌め込むと、ハンガーフレーム板が水平状態から垂直状態となり収納状態となる。
【００１５】
さらに、本発明の物干台の掛けフレーム板を収納する時は、垂直状態となることから、不注意で接触したとしても収納溝からハンガーフレーム板の凸軸が脱落して突然に下方へ枢転することはなく、そばに人間がいてもぶつかることはないので、安全性に優れている。
【図面の簡単な説明】
【００１６】
【図１】本実施例に係る物干台の掛けフレーム板を物干台に組み立てた状態を示す正面図である。
【図２】本実施例に係る物干台の掛けフレーム板の部分拡大斜視図である。
【図３】本実施例に係る物干台の掛けフレーム板の部分分解斜視図である。
【図４】本実施例に係る物干台の掛けフレーム板の他の部分分解斜視図である。
【図５】本実施例に係る物干台の掛けフレーム板の上面視部分断面図である。
【図６】本実施例に係る物干台の掛けフレーム板の側面視部分断面図である。
【図７】本実施例に係る物干台の掛けフレーム板の他の実施例の部分拡大斜視図である。
【図８】既存の折り畳み式物干台における支持部材を示す側面視断面図である。
【図９】既存の折り畳み式物干台おいて、掛けフレーム板を枢動させた状態を示す側面視断面図である。
【発明を実施するための形態】
【００１７】
以下、添付図面を参照して本発明の好適な実施の形態を詳細に説明する。尚、以下の実施例は、本発明の好適な実施の形態を示したものにすぎず、本発明の技術的範囲は、実施例そのものに何ら限定されるものではない。
【００１８】
本実施例の物干台の掛けフレーム板は、折り畳み式物干台の部材である。図１に示すように、その折り畳み式物干台は、ベース１と、２本の立棒２と、横棒３と、少なくとも１つのハンガー部材４とを有する。そのうち２本の立棒２は、それぞれ垂直方向に沿って相対するようにベース１の両端に設置され、横棒３は、２本の立棒２の上端を連結するように配置される。
図１及び図２に示すように、少なくとも１つのハンガー部材４は、横棒３の下方に位置するように、２本の立棒２の間に取り付けられ、各ハンガー部材４は、２つの位置決め部材５と、連結棒６と、ハンガーフレーム板７Ａ、７Ｂとを有する。
【００１９】
図１乃至図４に示すように、２つの位置決め部材５は、互いに対応するように、それぞれ２本の立棒２に固定され、或いは、それぞれ上下方向に調整可能に２本の立棒２に取り付けられる。各位置決め部材５は、固定座１０及び保持ブロック２０を備える。固定座１０は、位置決め部材５を立棒２に位置決めするために、上下方向に調整可能に立棒２に環装され、保持ブロック２０は、着脱可能に固定座１０に組み合わされる。
【００２０】
図２乃至図５に示すように、固定座１０は、管体１１及び締め部材１２を備える。そのうち、管体１１は、上下方向に移動可能に立棒２の外周面に環装される。管体１１の径方向の一箇所にスリット１１１が形成され、該管体１１の外周面における、スリット１１１と反対する箇所に組合せ座１１２が設けられる。締め部材１２は、スリット１１１に位置するように管体１１に取り付けられて、スリット１１１を通って立棒２の外周面に当接され、この構成によれば、固定座１０を立棒２に締め付けて位置決めすることができる。
締め部材１２は、ボルトであってもよく、図５に示すようにレバー１２１及び偏心凸部１２２を有する部材であってもよい。締め部材１２がレバー１２１及び偏心凸部１２２を有する場合において、レバー１２１は管体１１に取り付けられ、また、偏心凸部１２２はレバー１２１の内端に設けられ、スリット１１１に位置してピン１２３により管体１１に枢設され、レバー１２１をピン１２３に対して枢転させることにより、その内端の偏心凸部１２２を立棒２の外周面に当接させて位置決めすることができる。
【００２１】
図２乃至図４に示すように、保持ブロック２０は、１つの保持部２１及び１つの連接凹部２２を有してもよく、２つの保持部２１及び１つの連接凹部２２を有してもよい。保持ブロック２０における連接凹部２２は、保持部２１の一側に設けられてもよく、２つの保持部２１の間に設けられてもよく、つまり、保持ブロック２０の上面に凹設されていればよい。また、保持ブロック２０に、その内面まで延びる開口が形成されると共に、連接凹部２２の上部にテーパー状の拡口部が形成される。保持ブロック２０における保持部２１は、収納溝２１１及び展開溝２１２を備え、その収納溝２１１及び展開溝２１２にそれぞれ保持ブロック２０の内面まで延びる開口が形成される。収納溝２１１は、保持部２１の連接凹部２２と反対する側に上下方向に沿って形成されると共に、保持ブロック２０の上面まで延びる入り口２１３が形成される。展開溝２１２は、連接凹部２２と収納溝２１１との間に位置し、第一展開保持段２１２１と、第二展開保持段２１２２と、転換平行段２１２３とを備える。第一展開保持段２１２１は、収納溝２１１の近傍に形成され、第二展開保持段２１２２は、第一展開保持段２１２１と平行するように、連接凹部２２の近傍に形成され、転換平行段２１２３は、収納溝２１１、第一展開保持段２１２１、第二展開保持段２１２２の上部と連通するように、第一展開保持段２１２１と第二展開保持段２１２２との間に水平に形成される。
【００２２】
本実施例における第一展開保持段２１２１及び第二展開保持段２１２２はそれぞれ、上部位置を介して転換平行段２１２３と連通するように、連接凹部２２に向かって斜め下方に延設され、その第一展開保持段２１２１と第二展開保持段２１２２との底部位置は、同一の水平位置であってもよく、第一展開保持段２１２１の底部位置は、第二展開保持段２１２２の底部位置よりやや高くてもよい。
【００２３】
保持ブロック２０の外面には、さらに結合部２３を有する。結合部２３は、着脱可能に管体１１の組合せ座１１２に組み合わされる。尚、本実施例における保持ブロック２０の結合部２３は、上下方向に延びるＴ字形ブロックまたは蟻継ぎであり、管体１１の組合せ座１１２は、結合部２３の形状と対応するように、上下方向に延びる凹部が形成され、該凹部の底部に止め部が設けられる。この構成によれば、凹部と凸部との組合せによって結合部２３と組合せ座１１２とを着脱可能に組立てることができる。
【００２４】
連結棒６は、２つの保持ブロック２０の間に組み立てられる。尚、本実施例においては、その連結棒６の両端をそれぞれ、上方から位置決め部材５の保持ブロック２０の連接凹部２２に挿設し、該連結棒６により２つの位置決め部材５の相対位置を規定する。
【００２５】
図２及び図７に示すように、ハンガーフレーム板７Ａ、７Ｂは、プレート本体７０Ａ、７０Ｂを備える。
図２及び図３に示すように、そのプレート本体７０Ａは、２本の側棒７２Ａ及び複数の掛け棒７３Ａを備え、それらの掛け棒７３Ａはそれぞれ、間隔をおいて平行に配列するように、２本の側棒７２Ａの間に取り付けられる。
図７に示すように、そのプレート本体７０Ｂは、複数の掛け棒７３Ｂを有し、それらの掛け棒７３Ｂはそれぞれ間隔をおいて平行に配列される。
図２及び図７に示すように、そのプレート本体７０Ａ、７０Ｂの内側両端にそれぞれ、２本の凸軸７１が平行するように延設され、それら凸軸７１はそれぞれ回転可能に位置決め部材５の保持ブロック２０の保持部２１に挿し込まれる。この構成によれば、ハンガーフレーム板７Ａ、７Ｂが保持ブロック２０に対して枢転することができる。
また、本実施例においては、そのプレート本体７０Ａ、７０Ｂにおける内側の両端から突出する２本の凸軸７１が、保持ブロック２０の入り口２１３を通過して収納溝２１１に挿し込まれ、移動可能に収納溝２１１または展開溝２１２に係合することができる。
【００２６】
図６に示すように、本実施例に係る物干台の掛けフレーム板を使用する時は、使用者が下方に垂れて下がり垂直位置に収納されているハンガーフレーム板７Ａを持ち上げて水平位置に展開する。この時、ハンガーフレーム板７Ａの２本の凸軸７１が収納溝２１１から離れて転換平行段２１２３を通過してそれぞれ第一展開保持段２１２１及び第二展開保持段２１２２に嵌め込まれ、ハンガーフレーム板７Ａを水平状態に位置させながら展開して支持するので、洗濯物などの干し物をハンガーフレーム板７Ａに掛けて乾かすことができる。
一方、物干台を使用しない時は、使用者が水平状態に展開しているハンガーフレーム板７Ａを下方へ枢転させて収納する。この時、ハンガーフレーム板７Ａの２本の凸軸７１はそれぞれ第一展開保持段２１２１及び第二展開保持段２１２２から離れるので、ハンガーフレーム板７Ａを少し外側へ引き出すことによって、２本の凸軸７１を、転換平行段２１２３を通過させて収納溝２１１に嵌め込めば、ハンガーフレーム板７Ａを水平状態から垂直状態に転換させて収納することができる。
【符号の説明】
【００２７】
１        ベース
２        立棒
３        横棒
４        ハンガー部材
５        位置決め部材
６        連結棒
７Ａ、７Ｂ  ハンガーフレーム板
１０      固定座
１１      管体
１２      締め部材
２０      保持ブロック
２１      保持部
２２      連接凹部
２３      結合部
７０Ａ、７０Ｂ  プレート本体
７１      凸軸
７２Ａ    側棒
７３Ａ、７３Ｂ  掛け棒
１１１    スリット
１１２    組合せ座
１２１    レバー
１２２    偏心凸部
１２３    ピン
２１１    収納溝
２１２    展開溝
２１３    入り口
２１２１  第一展開保持段
２１２２  第二展開保持段
２１２３  転換平行段
【図１】
2016220941.tif 000003
【図２】
2016220941.tif 000004
【図３】
2016220941.tif 000005
【図４】
2016220941.tif 000006
【図５】
2016220941.tif 000007
【図６】
2016220941.tif 000008
【図７】
2016220941.tif 000009
【図８】
2016220941.tif 000010
【図９】
2016220941.tif 000011